(57)【特許請求の範囲】
【請求項１】
受信した呼接続要求に含まれる情報要素を解析処理し、その解析結果に基づいて呼設定処理を行い、必要な情報要素を作成して前記呼接続要求に付加して送信する交換装置の呼設定処理システムにおいて、
所定の複数の情報要素からなる呼情報を呼情報辞書に予め登録すると共に、前記交換装置が前記呼接続要求を送信するネットワークの相手装置の呼設定処理形式が自装置と異なる外部ネットワークであるか、自装置と同じ内部ネットワークかを示す回線情報テーブルを予め作成しておく登録処理手段と、
前記呼情報辞書を検索して、前記受信した呼接続要求による呼設定の可否判断で使用する情報を取得する取得手段と、
受信した前記呼接続要求中の未定義識別子を、前記回線情報テーブルを参照して得た情報により前記内部ネットワークから送信される呼接続要求であるか否かを示す独自の識別子として使用する手段と
を備えたことを特徴とする呼設定処理システム。
【請求項２】
受信した呼接続要求に含まれる情報要素を解析処理し、その解析結果に基づいて呼設定処理を行い、必要な情報要素を作成して前記呼接続要求に付加して送信する交換装置の呼設定処理システムにおいて、
所定の複数の情報要素からなる呼情報と該呼情報の解析結果を呼情報番号に対応させて呼情報辞書に予め登録すると共に、前記交換装置が前記呼接続要求を送信するネットワークの相手装置の呼設定処理形式が自装置と異なる外部ネットワークであるか、自装置と同じ内部ネットワークかを示す回線情報テーブルを予め作成しておく登録処理手段と、
前記呼情報辞書を検索する検索手段と、
前記受信した呼接続要求に含まれる呼情報の解析処理に際し、該受信した呼接続要求が前記内部ネットワークから送信されたものか前記外部ネットワークから送信されたものかを前記呼接続要求の特定のビットである内部識別子から判定し、前記外部ネットワークから送信されたものであるときには、その呼接続要求に含まれる呼情報のうち、前記呼情報辞書に登録されている呼情報と同じ種類の呼情報を記憶すると共に解析を行い、前記検索手段により検索された前記呼情報辞書からの、前記解析結果に最も近い辞書化されている呼情報を示す前記呼情報番号を取得すると共に前記呼情報辞書に登録されていない呼情報の解析も行ってから既存の呼設定処理を行わせ、前記内部ネットワークから送信されたものであるときは、その呼接続要求に付加されている前記呼情報番号を取得し該呼情報番号に対応した前記呼情報辞書に登録されている呼情報解析結果に基づいて前記既存の呼設定処理を行わせる解析処理手段と、
前記呼設定処理後の前記呼接続要求の送信先が前記内部ネットワークか前記外部ネットワークかを前記回線情報テーブルを参照して求めて前記内部識別子の値を更新し、前記内部ネットワークへ送信する前記呼接続要求には前記呼情報番号を付加し、前記外部ネットワークへ送信する前記呼接続要求には前記呼情報番号を付加せず送信させる呼接続要求作成処理手段と
を有することを特徴とする呼設定処理システム。
【請求項３】
前記呼情報辞書に登録されている呼情報は、呼種別を示す第１の情報要素と、帯域及び呼方向を示す第２の情報要素を少なくとも含むことを特徴とする請求項２記載の呼設定処理システム。
【請求項４】
前記登録処理手段、前記検索手段、前記解析処理手段、前記呼接続要求作成処理手段は、それぞれ前記交換装置内のコンピュータを用いたソフトウェア処理により実現することを特徴とする請求項２又は３記載の呼設定処理システム。
【請求項５】
前記呼情報辞書は記憶装置に格納されており、前記検索手段は、前記記憶装置から呼情報及び呼情報番号を検索するハードウェアのコントローラにより構成されていることを特徴とする請求項２又は３記載の呼設定処理システム。
【請求項６】
受信した呼接続要求に含まれる情報要素を解析処理し、その解析結果に基づいて呼設定処理を行い、必要な情報要素を作成して前記呼接続要求に付加して送信する交換装置の呼接続処理方法において、
所定の複数の情報要素からなる呼情報と該呼情報の解析結果を呼情報番号に対応させて呼情報辞書に予め登録すると共に、前記交換装置が前記呼接続要求を送信するネットワークの相手装置の呼設定処理形式が自装置と異なる外部ネットワークであるか、自装置と同じ内部ネットワークかを示す回線情報テーブルを予め作成しておく第１のステップと、
前記呼接続要求を受信したときに、受信した該呼接続要求が前記内部ネットワークから送信されたものか前記外部ネットワークから送信されたものかを前記呼接続要求の特定のビットである内部識別子から判定する第２のステップと、
受信した前記呼接続要求が前記外部ネットワークから送信されたものであるときには、その呼接続要求に含まれる呼情報のうち、前記呼情報辞書に登録されている呼情報と同じ種類の呼情報を記憶すると共に解析を行い、その解析結果に最も近い辞書化されている呼情報を示す前記呼情報番号を前記呼情報辞書から取得する第３のステップと、
受信した前記呼接続要求が前記内部ネットワークから送信されたものであるときには、その呼接続要求に付加されている前記呼情報番号を取得する第４のステップと、
前記第３のステップ又は前記第４のステップの処理後に、前記呼情報番号に対応した前記呼情報辞書に登録されている呼情報解析結果に基づいて前記既存の呼設定処理を行う第５のステップと、
前記呼設定処理後の前記呼接続要求の送信先が前記内部ネットワークか前記外部ネットワークかを前記回線情報テーブルを参照して求めて前記内部識別子の値を更新する第６のステップと、
前記内部ネットワークへ送信する前記呼接続要求には前記呼情報番号を付加し、前記外部ネットワークへ送信する前記呼接続要求には前記呼情報番号を付加せず送信させる第７のステップと
を含むことを特徴とする呼接続処理方法。
【請求項７】
前記呼情報辞書に登録されている呼情報は、呼種別を示す第１の情報要素と、帯域及び呼方向を示す第２の情報要素を少なくとも含むことを特徴とする請求項６記載の呼接続処理方法。
【発明の詳細な説明】
【０００１】
【発明の属する技術分野】
本発明は呼設定処理システム及び呼接続処理方法に係り、特にＵＮＩ３．１（ＡＴＭ  Ｆｏｒｕｍ  Ｕｓｅｒ−Ｎｅｔｗｏｒｋ  Ｉｎｔｅｒｆａｃｅ  Ｖｅｒｓｉｏｎ  ３．１）の手順に従った、非同期転送モード（ＡＴＭ：Ａｓｙｎｃｈｒｏｎｏｕｓ  Ｔｒａｎｓｆｅｒ  Ｍｏｄｅ）交換装置の私設網内での呼設定の可否の判断処理を行う呼設定処理システム及び呼接続処理方法に関する。
【０００２】
【従来の技術】
ＡＴＭ交換装置のＵＮＩ３．１に基づいた呼設定処理システムでは、ＡＴＭ交換装置が呼接続要求（ＳＥＴＵＰメッセージ、以下ＳＥＴＵＰ）を受信するたびに、そのＳＥＴＵＰに含まれる情報要素（ＩＥ：Ｉｎｆｏｒｍａｔｉｏｎ  Ｅｌｅｍｅｎｔ）を解析する。そして、その要求された条件を満たす呼を該交換装置内に設定可能かの可否を判断するために、トラフィックタイプ、必要となる帯域、サービス品質（ＱｏＳ：Ｑｕａｌｉｔｙ  ｏｆ  Ｓｅｒｖｉｃｅ）を計算する。
【０００３】
【発明が解決しようとする課題】
しかるに、上記の従来の呼設定処理システムでは、ＡＴＭ交換装置がＳＥＴＵＰを受け付けた時点で、ＳＥＴＵＰ内の情報要素を逐次処理する必要があるため、特定のＡＴＭ交換装置にＳＥＴＵＰが集中した場合に、処理の遅延、場合によっては一部ＳＥＴＵＰの廃棄があり得るという問題がある。
【０００４】
本発明は上記の点に鑑みなされたもので、呼接続処理で行われる交換装置内の資源が要求される呼を満たすことができるかの判断処理を簡素化し、さらには処理の一部をハードウェア化することにより、呼設定処理を高速化し得る呼設定処理システム及び呼接続処理方法を提供することを目的とする。
【０００５】
また、本発明の他の目的は、本方式のネットワーク（以下、内部ネットワーク）とＵＮＩ３．１を使用するネットワーク（以下、外部ネットワーク）との間でも呼接続が可能な呼設定処理システム及び呼接続処理方法を提供することにある。
【０００６】
【課題を解決するための手段】
上記の目的を達成するため、本発明の呼設定処理システムは、受信した呼接続要求に含まれる情報要素を解析処理し、その解析結果に基づいて呼設定処理を行い、必要な情報要素を作成して呼接続要求に付加して送信する交換装置の呼設定処理システムにおいて、所定の複数の情報要素からなる呼情報を呼情報辞書に予め登録すると共に、交換装置が呼接続要求を送信するネットワークの相手装置の呼設定処理形式が自装置と異なる外部ネットワークであるか、自装置と同じ内部ネットワークかを示す回線情報テーブルを予め作成しておく登録処理手段と、呼情報辞書を検索して、受信した呼接続要求による呼設定の可否判断で使用する情報を取得する取得手段と、受信した呼接続要求中の未定義識別子を、回線情報テーブルを参照して得た情報により内部ネットワークから送信される呼接続要求であるか否かを示す独自の識別子として使用する手段とを備えたことを特徴とする。
【０００７】
また、上記の目的を達成するためも、本発明の呼設定処理システムは、受信した呼接続要求に含まれる情報要素を解析処理し、その解析結果に基づいて呼設定処理を行い、必要な情報要素を作成して呼接続要求に付加して送信する交換装置の呼設定処理システムにおいて、所定の複数の情報要素からなる呼情報と呼情報の解析結果を呼情報番号に対応させて呼情報辞書に予め登録すると共に、交換装置が呼接続要求を送信するネットワークの相手装置の呼設定処理形式が自装置と異なる外部ネットワークであるか、自装置と同じ内部ネットワークかを示す回線情報テーブルを予め作成しておく登録処理手段と、呼情報辞書を検索する検索手段と、受信した呼接続要求に含まれる呼情報の解析処理に際し、受信した呼接続要求が内部ネットワークから送信されたものか外部ネットワークから送信されたものかを呼接続要求の特定のビットである内部識別子から判定し、外部ネットワークから送信されたものであるときには、その呼接続要求に含まれる呼情報のうち、呼情報辞書に登録されている呼情報と同じ種類の呼情報を記憶すると共に解析を行い、検索手段により検索された呼情報辞書からの、解析結果に最も近い辞書化されている呼情報を示す呼情報番号を取得すると共に呼情報辞書に登録されていない呼情報の解析も行ってから既存の呼設定処理を行わせ、内部ネットワークから送信されたものであるときは、その呼接続要求に付加されている呼情報番号を取得し呼情報番号に対応した呼情報辞書に登録されている呼情報解析結果に基づいて既存の呼設定処理を行わせる解析処理手段と、呼設定処理後の呼接続要求の送信先が内部ネットワークか外部ネットワークかを回線情報テーブルを参照して求めて内部識別子の値を更新し、内部ネットワークへ送信する呼接続要求には呼情報番号を付加し、外部ネットワークへ送信する呼接続要求には呼情報番号を付加せず送信させる呼接続要求作成処理手段とを有することを特徴とする。
【０００８】
本発明では、設定することのできる呼の種類を限定し、呼の必要とする交換装置資源の情報（呼情報）を呼情報の解析結果と共に予め交換装置内に呼情報辞書に登録しておき、呼接続要求を受信して呼設定する時に呼情報辞書に登録された呼情報及びその解析結果を利用するようにしたため、内部ネットワークの交換装置では呼接続要求を受信するたびに呼情報を計算しないようにできる。
【０００９】
ここで、上記の呼情報辞書に登録されている呼情報は、呼種別を示す第１の情報要素と、帯域及び呼方向を示す第２の情報要素を少なくとも含むことを特徴とする。また、登録処理手段、検索手段、解析処理手段、呼接続要求作成処理手段は、それぞれ交換装置内のコンピュータを用いたソフトウェア処理により実現してもよく、また、呼情報辞書は記憶装置に格納されており、検索手段は、記憶装置から呼情報及び呼情報番号を検索するハードウェアのコントローラにより構成されていてもよい。検索手段をハードウェア化した場合は、呼接続処理全体を高速化できる。
【００１０】
また、上記の目的を達成するため、本発明の呼接続処理方法は、受信した呼接続要求に含まれる情報要素を解析処理し、その解析結果に基づいて呼設定処理を行い、必要な情報要素を作成して呼接続要求に付加して送信する交換装置の呼接続処理方法において、所定の複数の情報要素からなる呼情報と呼情報の解析結果を呼情報番号に対応させて呼情報辞書に予め登録すると共に、交換装置が呼接続要求を送信するネットワークの相手装置の呼設定処理形式が自装置と異なる外部ネットワークであるか、自装置と同じ内部ネットワークかを示す回線情報テーブルを予め作成しておく第１のステップと、呼接続要求を受信したときに、受信した呼接続要求が内部ネットワークから送信されたものか外部ネットワークから送信されたものかを呼接続要求の特定のビットである内部識別子から判定する第２のステップと、受信した呼接続要求が外部ネットワークから送信されたものであるときには、その呼接続要求に含まれる呼情報のうち、呼情報辞書に登録されている呼情報と同じ種類の呼情報を記憶すると共に解析を行い、その解析結果に最も近い辞書化されている呼情報を示す呼情報番号を呼情報辞書から取得する第３のステップと、受信した呼接続要求が内部ネットワークから送信されたものであるときには、その呼接続要求に付加されている呼情報番号を取得する第４のステップと、第３のステップ又は第４のステップの処理後に、呼情報番号に対応した呼情報辞書に登録されている呼情報解析結果に基づいて既存の呼設定処理を行う第５のステップと、呼設定処理後の呼接続要求の送信先が内部ネットワークか外部ネットワークかを回線情報テーブルを参照して求めて内部識別子の値を更新する第６のステップと、内部ネットワークへ送信する呼接続要求には呼情報番号を付加し、外部ネットワークへ送信する呼接続要求には呼情報番号を付加せず送信させる第７のステップとを含むことを特徴とする。
【００１１】
この発明では、受信した呼接続要求が内部ネットワークから送信されたものであるときには、その呼接続要求に付加されている呼情報番号を取得し、その呼情報番号に対応した呼情報辞書に登録されている呼情報解析結果に基づいて既存の呼設定処理を行うようにしたため、呼接続要求を受信するたびに呼情報を計算しないようにできる。
【００１２】
【発明の実施の形態】
次に、本発明の実施の形態について図面と共に説明する。図１は本発明になる呼設定処理システムの一実施の形態が適用されるネットワークの概略構成図を示す。同図において、接続されている交換装置Ａ〜Ｅのうち、交換装置Ｂ、Ｃ及びＤが本方式を備えた交換装置であり、交換装置Ａと交換装置ＥがＵＮＩ３．１を備えた交換装置である。交換装置Ａから交換装置Ｅへ向かうＳＥＴＵＰは、交換装置Ｂにおいて外部ＳＥＴＵＰから内部ＳＥＴＵＰに変更され、交換装置ＢからＤまで内部ＳＥＴＵＰで処理される。交換装置Ｄは、内部ＳＥＴＵＰから外部ＳＥＴＵＰへ変換し、交換装置Ｅへ送信する。
【００１３】
図２は本発明になる呼設定処理システム及び呼接続処理方法の第１の実施の形態のブロック図を示す。この実施の形態では、交換装置内のプログラム制御により動作するコンピュータ（中央処理装置；プロセッサ；データ処理装置）内の、辞書、呼情報登録処理、呼情報検索処理、呼情報番号検索処理、ＳＥＴＵＰ解析処理、ＳＥＴＵＰ作成処理を含む。これらの処理はそれぞれ概略つぎのように動作する。
【００１４】
図２において、本方式の交換装置（図１の例では交換装置Ｂ、Ｃ又はＤ）は、まず、呼情報登録処理１１を行い、その記憶装置内に、設定可能な呼情報（帯域、ＱｏＳ）と呼情報番号の呼情報辞書１２を作成する。また、呼情報登録処理１１により、交換装置の回線か、内部ネットワーク、外部ネットワークのいずれに接続されているかを回線情報テーブル１３に登録する。
【００１５】
次に、上記の状態において、従来と同様にして既存受信処理１８にてＳＥＴＵＰが受信されると、呼情報辞書１２から、呼情報番号から呼情報または辞書化ＩＥを検索する呼情報検索処理１４が行われ、また呼情報から最も近い呼情報に対応する呼情報番号を検索する呼情報番号検索処理１５が行われ、更に、これらの検索結果に基づいて、ＳＥＴＵＰ解析処理１６において受信されたＳＥＴＵＰが、外部ネットワークで使用されるＳＥＴＵＰ（以下、外部ＳＥＴＵＰ）であるか、内部ネットワークで使用されるＳＥＴＵＰ（以下、内部ＳＥＴＵＰ）であるかを判断し、設定する呼に要求される情報の解析を行う。内部ＳＥＴＵＰであれば呼情報辞書１２を検索することで、呼に要求される情報を取得する。
【００１６】
その後、経路が分かっているかどうかのチェックなどをする既存の解析処理１９が行われた後、ハードウェアに対する設定と交換装置が持っているソフトウェア側パス情報の更新などの呼設定処理２０及び辞書化ＩＥ以外のＩＥを作成する作成処理２１が順次に行われた後、本実施の形態特有のＳＥＴＵＰ作成処理１７が行われる。なお、受信されたＳＥＴＵＰに含まれているＩＥはそのまま伝送される。
【００１７】
このＳＥＴＵＰ作成処理１７では、呼情報検索処理１４の処理結果と回線情報テーブル１３に基づいて、ＳＥＴＵＰの送信先が内部ネットワークであるか外部ネットワークであるかにより、内部ＳＥＴＵＰあるいは外部ＳＥＴＵＰのどちらかを作成するか判断し、ＳＥＴＵＰを作成する。そして、作成されたＳＥＴＵＰを既存の送信処理２２により送信する。
【００１８】
次に、本実施の形態の特徴である処理１１、１４、１５、１６及び１７について詳細に説明する。
【００１９】
（１）呼情報登録処理１１
表１はＳＥＴＵＰに含まれる可能性のあるＩＥを示す。
【００２０】
【表１】
0003544514.tif 000002
表１に示すように、ＩＥには、本実施の形態で辞書化する辞書化ＩＥと、辞書化ＩＥ以外のＩＥがある。このうち、辞書化ＩＥ中の（１）のＡＡＬ  ｐａｒａｍｅｔｅｒ  ＩＥは、ＡＡＬ種別を示し、（２）のＡＴＭ  ｔｒａｆｆｉｃ  ｄｅｓｃｒｉｐｔｏｒ  ＩＥは、帯域と方向を示し、（３）のＢｒｏａｄｂａｎｄ  ｂｅａｒｅｒ  ＩＥと（４）のＱｏＳ  ｐａｒａｍｅｔｅｒ  ＩＥとは呼種別を示している。なお、ＩＥそれぞれの詳細な説明は、一般的に知られているので省略する。
【００２１】
呼情報登録処理１１では、表１の辞書化ＩＥとして記した４種類のＩＥやＩＥ解析結果、呼情報番号などを呼情報辞書１２に登録する。図３は呼情報辞書１２の登録内容の一例を示す。同図に示すように、呼情報辞書１２の内容は、呼情報番号をインデックスとし、まず呼種別で整列され、次にＡＡＬ（ＡＴＭ  ａｄａｐｔａｔｉｏｎｌａｙｅｒ）種別で整列され、また呼方向で整列されている。さらに帯域で整列されている。そして対応する辞書化ＩＥおよび辞書化ＩＥの解析結果が含まれている。
【００２２】
次に、呼情報登録処理１１について、図４のフローチャートに基づいて説明する。まず、呼情報辞書１２が既に存在するかどうか判定し（ステップＳ１）、存在する場合は、その呼情報辞書１２を交換装置の記憶装置に読み込む（ステップＳ２）。次に、管理者が呼情報を追加するかどうか判定し（ステップＳ３）、追加する必要があれば、呼情報０（呼種別０、ＡＡＬタイプ０、呼方向０、帯域０）を入力する（ステップＳ４）。この呼情報の追加を管理者が必要とする呼情報ｎを登録するまで繰り返す（ステップＳ３、Ｓ４）。
【００２３】
続いて、入力された呼情報に対応する、辞書化ＩＥ解析結果を作成する（ステップＳ５）。すべての辞書項目が完成すると、呼種別で整列し辞書ｉを作る（ステップＳ６）。辞書ｉ内の項目について、それぞれＡＡＬタイプで整列し辞書ｉｊを作る（ステップＳ７）。辞書ｉｊ内の項目について、それぞれ呼方向で整列し、辞書ｉｊｋを作る（ステップＳ８）。辞書ｉｊｋ内の項目について、それぞれ帯域で小さい値から順に整列する（ステップＳ９）。以上ステップＳ５〜ステップＳ９により辞書内の項目の整列を行う。最後に、辞書の各項目に、順に０からｎまでの呼情報番号を割り付ける（ステップＳ１０）。これにより、図３に示したような登録内容の呼情報辞書１２が作成される。
【００２４】
また、呼情報登録処理１１では、図５に示すフローチャートの手順に従って、交換装置の回線が、外部ネットワーク、内部ネットワークのいずれに接続されているかの回線情報テーブル１３を作る。すなわち、あらかじめ登録されている回線情報が存在するかどうか判定し（ステップＳ１１）、回線情報が存在すれば、その回線情報を交換装置の記憶装置に読み込む（ステップＳ１２）。
【００２５】
回線情報を記憶装置に読み込んでから、あるいはステップＳ１１で回線情報が存在しないと判定した場合は、追加する回線情報があるかどうかチェックし（ステップＳ１３）、追加する回線情報が有れば、その回線情報を交換装置の記憶装置に登録する（ステップＳ１４）。追加する回線情報がなければ、処理を終了する。このようにして、回線情報テーブル１３を作成する。
【００２６】
（２）呼情報検索処理１４及び呼情報番号検索処理１５
図６は呼情報検索処理１４の一例のフローチャートを示す。同図に示すように、呼情報検索処理１４では呼情報辞書１２が呼情報番号をインデックスとして構成されているため、呼情報番号から直接呼情報を検索する。すなわち、呼情報番号をインデックスとして受け（ステップＳ１６）、その呼情報番号に該当する辞書の項目を呼情報辞書１２から返却する（ステップＳ１７）。
【００２７】
次に呼情報番号検索処理１５を図７に示すフローチャートに基づいて説明する。まず、外部ＳＥＴＵＰに含まれる辞書化ＩＥから、ＵＮＩ３．１の機能を用いて要求される呼情報ｉｊｋｎ（呼種別ｉ、ＡＡＬ種別ｊ、呼方向ｋ、帯域ｎ）を計算しておく（ステップＳ２１、Ｓ２２）。
【００２８】
続いて、呼情報辞書１２から、呼種別が呼種別ｉに該当する辞書ｉを抽出する（ステップＳ２３）。続いて、抽出した辞書ｉから、ＡＡＬ種別ｊに該当する辞書ｉｊを抽出する（ステップＳ２４）。同様に、抽出した辞書ｉｊから、呼方向ｋに該当する辞書ｉｊｋを抽出する（ステップＳ２５）。更に、抽出した辞書ｉｊｋから、要求帯域を満たす最小の帯域ｎを持つ項目ｎを抽出する（ステップＳ２６）。そして、最後に項目ｎの呼情報番号ｘを返却する（ステップＳ２７）。このようにして、呼情報番号検索処理１５が行われる。
【００２９】
（３）ＳＥＴＵＰ解析処理１６
伝送する複数のセルから得られるヘッダの先頭から２バイト目の、上位４ビットはＵＮＩ３．１では「００００」固定とされている。しかし、本実施の形態では、この４ビットを内部ＳＥＴＵＰか外部ＳＥＴＵＰかを識別させる識別子として用い、「０００１」であれば内部ＳＥＴＵＰとし、「０００１」以外であれば外部ＳＥＴＵＰとする。この４ビットのことを、以下、内部識別子と呼ぶものとする。また、交換装置内で処理するために展開された外部ＳＥＴＵＰあるいは内部ＳＥＴＵＰの情報の記録場所を記憶００（表２）、交換装置内で処理するための辞書化ＩＥに相当する情報の記録場所を記憶０１（表３）と記述する。
【００３０】
【表２】
0003544514.tif 000003
【表３】
0003544514.tif 000004
【００３１】
次に、このＳＥＴＵＰ解析処理１８について、図８のフローチャートと共に説明する。まず、ＳＥＴＵＰを受信し（ステップＳ３１）、その受信したＳＥＴＵＰの内部識別子を調べ、「０００１」であれば、内部ＳＥＴＵＰと判断し、「０００１」以外であれば外部ＳＥＴＵＰと判断する（ステップＳ３２）。
【００３２】
内部ＳＥＴＵＰである場合、内部ＩＥの展開と辞書化されないＩＥの解析処理を行う。内部ＩＥであれば、内部ＩＥに含まれる呼情報番号から対応する呼情報、辞書化ＩＥ解析結果を呼情報辞書１２から抽出し（ステップＳ３３）、また内部ＳＥＴＵＰ中の辞書化ＩＥを記憶０１に記録する（ステップＳ３４）。
【００３３】
一方、ステップＳ３２で外部ＳＥＴＵＰであると判断した場合、辞書化ＩＥの解析処理を行い（ステップＳ３５）、辞書化ＩＥを記憶０１に記録する（ステップＳ３６）。続いて、得られた辞書化ＩＥの解析結果から最もふさわしい呼情報の呼情報番号を呼情報辞書１２から検索し（ステップＳ３７）、また、呼情報を検索する（ステップＳ３８）。
【００３４】
上記のステップＳ３４又はＳ３８の処理終了後、辞書化ＩＥ解析結果を記憶００に記憶した後（ステップＳ３９）、辞書化ＩＥ以外の解析処理を行う（ステップＳ４０）。この辞書化ＩＥ以外の解析処理結果も記憶００に記録する。その後、呼の設定可否の判断および呼の設定のため、既存の呼設定処理を用いる（ステップＳ４１）。
【００３５】
（４）ＳＥＴＵＰ作成処理１７
図９はＳＥＴＵＰ作成処理１７の一例のフローチャートを示す。同図において、まず、記憶０１に記録された辞書化ＩＥをＳＥＴＵＰのＩＥとして追加し（ステップＳ５１）、記憶００に記録された辞書化ＩＥ以外のＩＥもＳＥＴＵＰのＩＥとして追加する（ステップＳ５２）。次に、回線の接続先のデータベースである回線情報テーブル１３を参照し、既存の呼設定処理で得られる出側回線が、内部ネットワークであるか外部ネットワークのどちらに接続されているかを調べる（ステップＳ５３）。
【００３６】
ＳＥＴＵＰの送信先が内部ネットワークである場合は、記憶００に記録された呼情報番号を示す、内部ＩＥを追加する（ステップＳ５４）。そして、ＳＥＴＵＰの内部識別子を「０００１」に書き換える（ステップＳ５５）。一方、ＳＥＴＵＰの送信先が外部ネットワークである場合は、ＳＥＴＵＰの内部識別子を「００００」に書き換える（ステップＳ５６）。そして既存の送信処理２２を使用して、ＳＥＴＵＰを送信する（ステップＳ５７）。
【００３７】
次に、本実施の形態の効果について説明する。本実施の形態では、設定できる呼の種類をあらかじめ登録できるように構成されているため、呼設定が行えるかの可否の判断で必要な情報を、従来のように４種類のＩＥの情報（すなわち、表１の（１）〜（４）に示したＩＥ）から算出する必要がなく、呼情報番号で呼情報辞書１２を検索することのみで取得できるため、処理の高速化を実現できる。また、本実施の形態では、さらに、外部ＳＥＴＵＰ中の辞書化ＩＥも保存するよう構成されているため、既存外部ネットワークの変更なしに呼接続を行うことができる。
【００３８】
次に、具体的な実施例を用いて本実施の形態の動作を更に説明する。まず、図１に示すようなネットワークで、交換装置Ａから交換装置Ｅに呼接続を行う場合を考え、図１０を用いてＳＥＴＵＰメッセージの変換状況を説明する。簡単化のため、ＳＥＴＵＰに含まれるＩＥには、ＵＮＩ３．１で必須と規定されているＩＥと、ＡＡＬ  Ｐａｒａｍｅｔｅｒ  ＩＥのみとする。
【００３９】
図１０において、交換装置Ａから送信された外部ＳＥＴＵＰ（ＳＥＴＵＰ−Ａ）は、交換装置Ｂで受信され、内部ＳＥＴＵＰ（ＳＥＴＵＰ−Ｂ）に変換される。交換装置Ｂ、Ｃ、Ｄでは内部ＳＥＴＵＰで処理され、呼情報辞書を参照して、呼接続の可否の判断が行われる。交換装置Ｄでは再び外部ＳＥＴＵＰに変換され、内部ＩＥは取り除かれ、ＳＥＴＵＰ−Ａに含まれていたＩＥが交換装置Ｅに送信される。
【００４０】
また、図１１を用いて動作の具体例を説明する。端末０から端未１に対して呼を設定する。端末０、端未１、交換装置０、交換装置５はＵＮＩ３．１を使用する装置であり、交換装置１〜４までが本方式を使用する装置である。
【００４１】
端未０の要求したＳＥＴＵＰ３１は、呼種別が固定ビットレート（ＣＢＲ：ｃｏｎｓｔａｎｔ  ｂｉｔ  ｒａｔｅ）、ＡＡＬ種別がＡＡＬ５、方向は両方向、帯域は８Ｍビットの呼情報に相当するものであるとする。このＳＥＴＵＰ３１は、交換装置１において、ＵＮＩ３．１から本方式に変換される。すなわち、内部ネットワークの交換装置１は、交換装置０からＳＥＴＵＰ３１を受信すると、このＳＥＴＵＰ３１がＵＮＩ３．１の形式であるため、図８のステップＳ３２、Ｓ３５〜Ｓ４０の処理が行われ、この処理結果を用いて呼が設定できるか判断し、設定できる場合は、図９のＳＥＴＵＰ作成処理が行われる。
【００４２】
交換装置１はＳＥＴＵＰの送信先が内部ネットワークの交換装置２であることが分かっているので、図９のステップＳ５１〜Ｓ５３の各処理を経てステップＳ５４において、自装置内の記憶装置に登録されている呼情報辞書３３（図２の呼情報辞書１２に相当）を検索すると、要求された呼に対応するものとして、呼種別、ＡＡＬ種別、呼方向が一致し、８Ｍビット以上の帯域で、かつ、最小の帯域の呼情報を持つ項目である、呼情報番号３を選択し、選択したこの呼情報番号３を図１１に３４で示すようにＳＥＴＵＰ３１のＩＥに追加し、更に図９のステップＳ５５で内部識別子の値を’０００１’に書き換えたＳＥＴＵＰ３２を作成して送信する。
【００４３】
交換装置１〜４の間においては、この呼情報番号３で処理が行われる。この内部ネットワーク内では呼情報番号３で呼情報辞書を検索することのみで呼設定の可否の判断の情報を取得できるため、処理の高速化が図れる。外部ネットワークの交換装置５へＳＥＴＵＰを送信する交換装置４は、内部ネットワークの交換装置３からＳＥＴＵＰ３２を受信すると、ＳＥＴＵＰ解析処理時に、図８のステップＳ３２、Ｓ３３、Ｓ３４、Ｓ３９、Ｓ４０の処理を行い、この処理結果を用いて呼が設定できるかどうか判断し、呼が設定できる場合は、図９のＳＥＴＵＰ作成処理が行われる。
【００４４】
交換装置４はＳＥＴＵＰの送信先が外部ネットワークの交換装置５であることが分かっているので、図９のステップＳ５１〜Ｓ５３の各処理を経てステップＳ５６において、内部識別子の値を’００００’に書き換え、また呼情報番号ＩＥが付加されないため、端末０が要求したＵＮＩ３．１の形式のＳＥＴＵＰ３１と同じＳＥＴＵＰ３１を作成して送信する。
【００４５】
内部ネットワーク内では呼情報番号のＩＥを追加するが、ＳＥＴＵＰ３１に含まれている元の辞書化ＩＥはそのままの形式で保存されて内部ネットワークで伝送されるため、交換装置４から外部ネットワークの交換装置５に送信する場合には追加した内部ＩＥを削除することで元の情報を復元することができるのである。
【００４６】
次に、本発明の第２の実施の形態について説明する。図１２は本発明になる呼設定処理システム及び呼接続処理方法の第２の実施の形態のブロック図を示す。この実施の形態では、第１の実施の形態においてソフトウェアによって処理していた各処理のうち、呼情報辞書の呼情報検索処理４１と呼情報番号検索処理４２を、ハードウェアにより実現する。辞書の大きさは有限であり、また検索方法も比較演算のみであるので、ハードウェアで実現可能である。
【００４７】
本実施の形態では、上記の検索処理４１及び４２を実現するためのハードウェアとしてコントローラ４０と、呼情報辞書１２を格納するための記憶装置４３を持つ。ソフトウェアは、コントローラ４０に呼情報番号を設定することにより、対応する呼情報等の記憶装置４３中での位置を取得する。また、呼情報を設定することにより、対応する呼情報番号を得る。本実施の形態では、呼設定処理の、接続判断可否の情報の計算処理をハードウェア化することで、交換装置内のコンピュータの処理を、軽減することができる。
【００４８】
なお、本発明は以上の実施の形態に限定されるものではなく、例えば表１に（１）〜（４）で示した４種類の辞書化ＩＥのうち、（１）のＡＡＬ種別を示すＩＥ（ＡＡＬ  ｐａｒａｍｅｔｅｒ  ＩＥ）は必ずしも辞書化しなくてもよい。
【００４９】
【発明の効果】
以上説明したように、本発明によれば、受信した呼接続要求が内部ネットワークから送信されたものであるときには、その呼接続要求に付加されている呼情報番号を取得し、その呼情報番号に対応した呼情報辞書に登録されている呼情報解析結果に基づいて既存の呼設定処理を行うことにより、呼接続要求を受信するたびに呼情報を計算しなくて済むようにしたため、呼接続処理を従来に比べて高速化でき、これにより処理遅延による呼接続要求（ＳＥＴＵＰ）の一部廃棄の可能性を大幅に少なくできる。
【００５０】
また、本発明によれば、ＳＥＴＵＰのパラメータをそのまま使用するのではなく、予め呼情報辞書に登録された呼情報（情報要素）のみに設定することによって、設定される呼の種類を限定したため、呼設定の処理の一部をハードウェア化することができ、それによりより一層呼接続処理を高速化できる。
【図面の簡単な説明】
【図１】本発明の一実施の形態が適用されるネットワークの概略構成図である。
【図２】本発明の第１の実施の形態の構成を示すブロック図である。
【図３】図２中の呼情報辞書の構造の一例を示す図である。
【図４】図２中の呼情報登録処理の一例のフローチャートである。
【図５】図２中の呼情報登録処理による回線情報テーブル作成の一例のフローチャートである。
【図６】図２中の呼情報検索処理の一例のフローチャートである。
【図７】図２中の呼情報番号検索処理の一例のフローチャートである。
【図８】図２中のＳＥＴＵＰ解析処理の一例のフローチャートである。
【図９】図２中のＳＥＴＵＰ作成処理の一例のフローチャートである。
【図１０】図１におけるＳＥＴＵＰメッセージの変換状況の一例の説明図である。
【図１１】本発明の第１の実施の動作の具体例の説明図である。
【図１２】本発明の第２の実施の形態のブロック図である。
【符号の説明】
０〜５、Ａ〜Ｅ  交換装置
１１  呼情報登録処理
１２、３３  呼情報辞書
１３  回線情報テーブル
１４、４１  呼情報検索処理
１５、４２  呼情報番号検索処理
１６  ＳＥＴＵＰ解析処理
１７  ＳＥＴＵＰ作成処理
１８  既存受信処理
１９  既存解析処理
２０  既存呼設定処理
２１  既存作成処理
２２  既存送信処理
４０  コントローラ
４３  記憶装置
【図１】
0003544514.tif 000005
【図２】
0003544514.tif 000006
【図３】
0003544514.tif 000007
【図４】
0003544514.tif 000008
【図５】
0003544514.tif 000009
【図６】
0003544514.tif 000010
【図７】
0003544514.tif 000011
【図８】
0003544514.tif 000012
【図９】
0003544514.tif 000013
【図１０】
0003544514.tif 000014
【図１１】
0003544514.tif 000015
【図１２】
0003544514.tif 000016